(57)【要約】【課題】使用耐久性が向上した全頭かつらを提供する。【解決手段】本発明は、かつら本体１と、かつら本体１に着脱可能に接合する部分かつら２を備えた全頭かつら１００において、かつら本体１は、かつらベース１１と、かつらベース１１に植毛された毛髪１２とを備え、部分かつら２は、接続部材２１と、接続部材２１に植毛された毛髪２２とを備え、かつらベース１１には、頭部に接する側とは反対側の後頭部を覆う領域に接合部１３が設けられ、かつらベース１１の接合部１３と部分かつら２の接続部材２１には、係合手段１４、２３が設けられ、かつらベース１１の接合部１３と部分かつら２の接続部材２１は、係合手段１４、２３により着脱可能に接合し、係合手段１４、２３は、面ファスナーで構成されている全頭かつらに関する。【選択図】図１
2014091870.tif 000002
【特許請求の範囲】
【請求項１】
かつら本体と、前記かつら本体に着脱可能に接合する部分かつらを備えた全頭かつらにおいて、
前記かつら本体は、かつらベースと、前記かつらベースに植毛された毛髪とを備え、前  記部分かつらは、接続部材と、前記接続部材に植毛された毛髪とを備え、
前記かつらベースには、頭部に接する側とは反対側の後頭部を覆う領域に接合部が設けられ、
前記かつらベースの接合部と前記部分かつらの接続部材には、係合手段が設けられ、前記かつらベースの接合部と前記部分かつらの接続部材は、係合手段により着脱可能に接合し、前記係合手段は、面ファスナーで構成されていることを特徴とする全頭かつら。
【請求項２】
前記部分かつらは、少なくとも首を覆う全頭かつら。
【請求項３】
前記面ファスナーにおいて、ループ面及びフック面からなる群から選ばれる少なくとも一つの面が伸縮性素材で構成されている請求項１又は２に記載の全頭かつら。
【請求項４】
前記係合手段は、前記かつらベースの接合部の周縁部及び前記部分かつらの接続部材の周縁部に設けられている請求項１〜３のいずれか１項に記載の全頭かつら。
【請求項５】
前記係合手段は、前記かつらベースの接合部の周縁部及び前記部分かつらの接続部材の周縁部に加えて、横方向に縞状に設けられている請求項１〜４のいずれか１項に記載の全頭かつら。
【請求項６】
前記係合手段は、前記かつらベースの接合部の周縁部及び前記部分かつらの接続部材の周縁部に加えて、網目状に設けられている請求項１〜４のいずれか１項に記載の全頭かつら。
【請求項７】
部分かつらを二つ以上含む請求項１〜５のいずれか１項に記載の全頭かつら。
【発明の詳細な説明】
【技術分野】
【０００１】
本発明は、全頭かつらに関する。詳細には、部分かつらを備えている全頭かつらに関する。
【背景技術】
【０００２】
通常、先天的に頭髪が少ない場合、円形脱毛症により頭髪が消失している時、抗ガン剤治療などにより脱毛している場合には、頭部全体を覆う全頭かつらが用いられていた。例えば、特許文献１には、かつらベースに伸縮性ネットと非伸縮性ネットを組み合わせることにより、頭部への装着性とフィット感を向上させた全頭用かつらが開示されている。また、髪型のファッション性を高めるために全頭かつらを用いることもある。例えば、特許文献２には、頭部を被包する第１かつらと襟足部分に被冠してこれを装飾する第２かつらからなり、それぞれのかつらを単独で又はクリップにより連結して使用することにより、髪型に多様な意匠性を自由に設定できるかつらが提案されている。
【先行技術文献】
【特許文献】
【０００３】
【特許文献１】特開２００８−１６３４９７号公報
【特許文献２】特開２００４−９１９７２号公報
【発明の概要】
【発明が解決しようとする課題】
【０００４】
本発明者らは、全頭かつらを装着した際に首部分を覆う領域の毛髪が劣化しやすく、全頭かつらの使用耐久性が低下することを見出した。
【０００５】
本発明は、上記問題を解決するため、使用耐久性の向上した全頭かつらを提供する。
【課題を解決するための手段】
【０００６】
本発明は、かつら本体と、前記かつら本体に着脱可能に接合する部分かつらを備えた全頭かつらにおいて、前記かつら本体は、かつらベースと、前記かつらベースに植毛された毛髪とを備え、前記部分かつらは、接続部材と、前記接続部材に植毛された毛髪とを備え、前記かつらベースには、頭部に接する側とは反対側の後頭部を覆う領域に接合部が設けられ、前記かつらベースの接合部と前記部分かつらの接続部材には、係合手段が設けられ、前記かつらベースの接合部と前記部分かつらの接続部材は、係合手段により着脱可能に接合し、前記係合手段は、面ファスナーで構成されていることを特徴とする全頭かつらに関する。
【０００７】
本発明の全頭かつらにおいて、前記部分かつらは、少なくとも首を覆うことが好ましい。また、前記面ファスナーにおいて、ループ面及びフック面からなる群から選ばれる少なくとも一つの面が伸縮性素材で構成されていることが好ましい。また、前記係合手段は、前記かつらベースの接合部の周縁部及び前記部分かつらの接続部材の周縁部に設けられていることが好ましい。また、前記係合手段は、前記かつらベースの接合部の周縁部及び前記部分かつらの接続部材の周縁部に加えて、横方向に縞状又は網目状に設けられていることが好ましい。また、本発明の全頭かつらは、部分かつらを二つ以上有することが好ましい。
【発明の効果】
【０００８】
本発明は、かつら本体のかつらベースにおいて、後頭部を覆う領域に接合部を設け、該接合部に部分かつらの接続部材を面ファスナーで構成されている係合手段により着脱可能に接合することで、全体としての使用耐久性が向上した全頭かつらを提供する。また、本発明は、好ましくは、部分かつらを異なるものに交換することや、異なる部分かつらをカットして組み合わせて使用することで、スタイルやカラーのバリエーションが豊富になる。
【図面の簡単な説明】
【０００９】
【図１】図１は、本発明の一実施形態の全頭かつらを装着した状態を、毛髪を透過して示した側面図である。
【図２】図２は、本発明の一実施形態の全頭かつらの裏面図である。
【図３】図３Ａは本発明の一実施形態の全頭かつらのかつら本体におけるかつらベースの背面図であり、図３Ｂは同実施形態の全頭かつらの部分かつらにおける接続部材の裏面図である。
【図４】図４Ａは本発明の一実施形態の全頭かつらのかつら本体におけるかつらベースの背面図であり、図４Ｂは同実施形態の全頭かつらの部分かつらにおける接続部材の裏面図である。
【図５】図５Ａは本発明の一実施形態の全頭かつらのかつら本体におけるかつらベースの背面図であり、図５Ｂは同実施形態の全頭かつらの部分かつらにおける接続部材の裏面図である。
【図６】図６Ａは本発明の一実施形態の全頭かつらのかつら本体におけるかつらベースの背面図であり、図６Ｂは同実施形態の全頭かつらの部分かつらにおける接続部材の裏面図である。
【図７】図７は、ダメージ促進テストに用いたかつらの背面図である。
【図８】図８は、ダメージ促進テストに用いたタングル試験機の概略的説明図である。
【発明を実施するための形態】
【００１０】
本発明者らは、全頭かつら（フルウィッグ、全かつらとも称される。）の使用耐久性について検討した。具体的には、各種毛髪用繊維を用い、擬似かつらを作製し、ダメージ促進テストを行った。毛髪用繊維としては、難燃ポリエステル繊維（株式会社カネカ製、商品名「Ｆｕｔｕｒａ」）、塩化ビニル繊維（株式会社カネカ製、商品名「ＡＤＲ」）、モダクリル繊維（株式会社カネカ製、商品名「ＦＳ−ＴＥＸ」）及びタンパク繊維（株式会社カネカ製、商品名「Ｕｌｔｉｍａ」）を用いた。図７に示しているように、擬似かつら２００は、ネット３０（縦２１．５ｃｍ、横１２ｃｍ、厚み０．５ｍｍ、塩化ビニル繊維製、ラッセル網目、糸径０．１ｍｍ）に、毛髪用繊維のみの毛（ウェフト）３１（長さ２０ｃｍ）を１ｃｍ間隔で２０段貼りつけて作製した。図７において、Ｌ１で示す部位は頭部を覆う領域に該当し、Ｌ２で示す部位は首を覆う領域に該当し、Ｌ３で示す部位は肩位置に該当する。ダメージ促進テストは、図８に示すタングル試験機３００を用い、恒温恒湿室（設定温度２５℃、設定相対湿度３０％）にて行った。図８に示しているように、タングル試験機３００は、金属製の回転体３０１と、回転体３０１とフレキシブルに連結している横軸３０５（金属棒）と、横軸３０５と連結している試料挟持部３０３と、摩擦板３０４と、駆動スイッチ３０２とを備えている。図示はないが、駆動スイッチ３０２は、モーターを介して回転体３０１の回転を制御する。回転体３０１が１回転／２秒の速度で１回転すると、横軸３０５が上下に６ｃｍ、左右に２０ｃｍ動くことになる。１週間〜２週間の装着を想定し、擬似かつら２００を試料挟持部３０３で横軸３０５に取り付けた後、回転体３０１を３０分間回転させた。回転体３０１の回転に伴い、横軸３０５に取り付けられた擬似かつら２００は摩擦板３０４と接した状態で上下左右に動くことになる。その後、（カトーテック株式会社製の「ＫＥＳ−ＳＥ摩擦感テスター」）を用い、表面摩擦係数（ＭＩＵ）を測定し、その結果を下記表１に示した。表面摩擦係数は、頭部を覆う領域Ｌ１に該当するネット上部と、首を覆う領域Ｌ２と肩を覆う領域Ｌ３に該当するネット下部に分けて測定した。対照として原綿の表面摩擦係数も測定した。
【００１１】
【表１】
2014091870.tif 000003
【００１２】
上記表１のデータから分かるように、みの毛を構成する毛髪用繊維の種類により毛髪繊維表面のダメージの度合いは変化するが、いずれの場合も、首を覆う領域（ネープ部分）を含むネット下部の方の毛髪繊維表面の平均摩擦係数（ＭＩＵ）が高く、ダメージが大きいことが分かった。
【００１３】
そこで、本発明では、全頭かつらにおいて、かつらベースの後頭部を覆う領域に接合部を設け、該接合部に部分かつらを面ファスナーにより着脱可能に接合することにより、全頭かつらの全体としての使用耐久性を向上させた。即ち、本発明の全頭かつらは、着脱可能な部分かつらを備え、部分かつらを全頭かつらの装着時にダメージを受けやすい首を覆う領域に配置しているため、部分かつらのみを交換することで、全頭かつらを長く使用することができ、かつら全体としての使用耐久性が向上する。また、本発明では、部分かつらを面ファスナーで構成されている係合手段によりかつら本体に接合するため、接着強度が高く、装着耐久性即ち使用耐久性が向上する。
【００１４】
本発明において、かつらベースとしては、特に限定されず、例えば、ネットなどの一般的にかつらベースとして用いるものを用いることができる。また、毛髪としては、特に限定されず化学繊維や天然素材などを用いることができる。化学繊維としては、例えば、ポリエステル繊維、塩化ビニル繊維、モダクリル繊維、タンパク繊維などが挙げられ、天然素材としては、人毛、獣毛などが挙げられる。毛髪の植毛も、特に限定されず、例えば、一般的にかつらを作製する時に行われる方法及び装置などを用いて行うことができる。
【００１５】
以下、図面を参照して本発明を詳細に説明する。
【００１６】
図１は、本発明の一実施形態の全頭かつらを装着した状態を、毛髪を透過して示した側面図である。図２は、本発明の一実施形態の全頭かつらの裏面図である。図３Ａ、図４Ａ、図５Ａ及び図６Ａは、それぞれ、本発明の一の実施形態の全頭かつらのかつら本体におけるかつらベースの背面図であり、図３Ｂ、図４Ｂ、図５Ｂ及び図６Ｂは、それぞれ、本発明の一の実施形態の全頭かつらの部分かつらにおける接続部材の裏面図である。
【００１７】
図１〜２に示しているように、本発明の一実施形態の全頭かつら１００は、かつら本体１と部分かつら２を備えている。かつら本体１と、部分かつら２は、脱着可能に接合する。かつら本体１は、かつらベース１１と、かつらベース１１に植毛された毛髪１２を備えている。部分かつら２は、接続部材２１と、接続部材２１に植毛された毛髪２２を備えている。
【００１８】
図３Ａ、図４Ａ、図５Ａ及び図６Ａに示しているように、かつらベース１１は頭部形状に成形されており、頭部に接する側とは反対側、即ちかつらベース１１の背面の後頭部を覆う領域に接合部１３が設けられ、接合部１３には係合手段１４が設けられている。図３Ｂ、図４Ｂ、図５Ｂ及び図６Ｂに示しているように、接続部材２１には係合手段２３が設けられている。かつら本体１と、部分かつら２は、係合手段１４及び係合手段２３により、着脱可能に接合する。全頭かつらの装着時に毛髪が劣化しやすい首を覆う領域に着脱可能な部分かつらを配置しているため、部分かつらのみを交換することで、かつら全体としての使用耐久性が向上する。
【００１９】
図１に示しているように、全頭かつら１００を装着すると、部分かつら２は、かつら本体１の裏面に配置され、少なくとも首を覆うようになることが好ましい。装着時に毛髪が劣化しやすい領域に部分かつら２を配置することにより、部分かつら２のみを交換することで、全体としての全頭かつらの使用耐久性が高くなる。また、全頭かつら１００は、部分かつら２を二つ以上有してもよい。二つ以上の部分かつらを交互にかつら本体に接合して装着することや、二つ以上の部分かつらをカットして組み合わせてかつら本体に接合して装着することができ、スタイルやカラーのバリエーションが豊富になる。
【００２０】
全頭かつら１００において、係合手段１４及び係合手段２３は、面ファスナーで構成されている。係合手段１４と係合手段２３は、対応するように配置されている。かつら本体１と部分かつら２は、接合部１３に設けられている係合手段１４と接続部材２１に設けられている係合手段２３により脱着可能に接合している。係合手段１４がループ面（雌面ファスナー）で構成されている場合、係合手段２３はフック面（雄面ファスナー）で構成されることになる。なお、係合手段１４がフック面（雄面ファスナー）で構成されている場合、係合手段２３はループ面（雌面ファスナー）で構成されることになる。図３Ａ及び図４Ａに示しているように、係合手段１４は接合部１３の周縁部に配置されることが好ましい。同様に、図３Ｂ及び図４Ｂに示しているように、係合手段２３は係合手段１４に対応するように接続部材２１の周縁部に配置されることが好ましい。例えば、係合手段１４と係合手段２３は、図３Ａ及び図３Ｂに示しているように、周縁部に一定の間隔を持って多数配置されていてもよく、図４Ａ及び図４Ｂに示しているように、周縁部に連続的に配置されていてもよい。また、係合手段１４と係合手段２３は、周縁部に加え、周縁部以外の部分にも配置されていてもよい。例えば、図５Ａ及び図５Ｂに示しているように、係合手段１４と係合手段２３は、周縁部に加えて、横方向に縞状に配置されてもよい。或いは、例えば、図６Ａ及び図６Ｂに示しているように、係合手段１４と係合手段２３は、周縁部に加えて、網目状に配置されてもよい。係合手段１４及び係合手段２３が、上記のように、接合部１３及び接続手段２１の一部に配置されていると、接合部１３及び接続手段２１がより軽量になり、柔軟性もより良好である。また、図５に示しているように、周縁部に加えて、係合手段１４と係合手段２３を横方向に縞状に設ける場合と、図６に示しているように、周縁部に加えて、係合手段１４と係合手段２３を網目状に設ける場合は、周縁部のみに設けた場合に比べて、接合部１３及び接続手段２１の接着性がより高くなる。
【００２１】
接合部１３及び接続部材２１の全体を、面ファスナーで構成し、そのまま係合手段としてもよい。接続部材２１全体が面ファスナーで構成されている場合は、接続部材２１のサイズを接合部１３のサイズより大きくしてもよい。部分かつら２を複数個にカットして使うことができる。
【００２２】
係合手段１４が接合部１３の一部のみに設けられている場合、接合部１３は、かつらベース１１の一部で構成されていてもよく、かつらベース１１の背面に別途貼り合わせた構成であってもよい。別途貼り合わせる場合、接合部１３は、特に限定されず、例えば、一般的にかつらベースに用いる素材で構成することができる。このような場合、係合手段１４は、特に限定されないが、例えば、縫製などにより接合部１３に取り付けることができる。
【００２３】
係合手段２３が接続部材２１の一部のみに設けられている場合、接続部材２１を構成する素材は、特に限定されず、例えば、一般的にかつらベースに用いる素材で構成することができる。このような場合、係合手段２３は、特に限定されないが、例えば、縫製などにより接続部材２１に取り付けることができる。
【００２４】
係合手段１４及び係合手段２３を構成する面ファスナーの素材は、特に限定されないが、フィット性の観点から、ループ面及びフック面からなる群から選ばれる少なくとも一つの面が伸縮性素材で構成されていることが好ましい。また、伸縮性素材において、横方向の伸長率が縦方向の伸長率より高いことがより好ましい。前記面ファスナーとしては、特に限定されないが、例えば、クラレ社製の品名「エラストグリップ」などの市販のものを用いることができる。
【００２５】
全頭かつら１００において、係合手段１４及び係合手段２３が面ファスナーで構成されていることで、クリップなどの係合手段より、接着強度が高く、装着耐久性及び使用耐久性が良好になる。また、クリップなどの係合手段を使用する場合と比較して、軽量になる。特に、本発明の全頭かつら１００は、上下左右のいずれの方向の負荷に対しても、装着耐久性が高く、装着したまま寝てもよい。ここで、下方向とは上から下に向けて力を加える方向をいい、上方向とは下から上に向けて力を加える方向をいい、右方向とは左から右に向けて力を加える方向をいい、左方向とは右から左に向けて力を加える方向をいう。また、係合手段１４及び係合手段２３を貼りつけるだけでかつら本体１と部分かつら２を接合できるため、装着性も良好である。
【実施例】
【００２６】
以下、実施例により本発明を更に具体的に説明する。なお、本発明は下記の実施例に限定されるものではない。
【００２７】
（実施例１）
図３Ａに示しているようにかつら本体のかつらベース１１に接合部１３を設け、接合部１３に雌面ファスナー（クラレ社製品名「エラストグリップ」）で構成された係合手段１４を設け、図３Ｂに示しているように、部分かつらの接続部材２１の対応する部分に雄面ファスナー（クラレ社製品名「エラストグリップ」）で構成された係合手段２３を設けた以外は、通常の方法により、図１〜２に示しているかつら本体１と部分かつら２を作製し、かつら本体１と部分かつら２を接合して全頭かつら１００得た。毛髪用繊維としては、株式会社カネカ製の難燃ポリエステル繊維（商品名「Ｆｕｔｕｒａ」）を用い、かつら本体用の毛髪の長さが約１２インチ（約３０．４８ｃｍ）であるみの毛と、部分かつら用の毛髪の長さが約１２インチ（約３０．４８ｃｍ）であるみの毛を作製した。
【００２８】
（比較例１）
本体の接合部と部分かつらの接続部材の係合手段として、面ファスナーに替えてほぼ同じサイズのクリップを用いた以外は、実施例１と同様にして全頭かつらを得た。
【００２９】
実施例１及び比較例１の全頭かつらを頭部に装着させ、かつら本体と部分かつらの接着強度を下記のように測定し、その結果を下記表２に示した。
【００３０】
（接着強度）
フォースケージ（日本電産シンポ社製、型番「ＦＧＣ−１０Ｂ」）を用い、毛髪の上下左右各方向の引っ張り荷重を測定した。引っ張り位置は、毛髪の根元から約９インチ（約２２．８６ｃｍ）とした。かつら本体と部分かつらが接合している領域から１０箇所を選択し、それらの平均値を引っ張り荷重とした。引っ張り荷重の値が大きいほど、接着強度に優れることになる。
【００３１】
【表２】
2014091870.tif 000004
【００３２】
実施例１では、面ファスナーで構成されている係合手段により部分かつらをかつら本体に接合しているため、上下左右のいずれの方向から力が加わっても１ｋｇ以上の荷重に耐えることができ、上下左右のいずれの方向においても接着強度が高かった。一方、比較例１では、クリップにより部分かつらをかつら本体に接合しているため、下方向に対しては強い接着強度を示すが、上方向、右方向及び左方向においては接着強度が弱かった。実施例１の全頭かつらが比較例１の全頭かつらより装着耐久性及び使用耐久性が良好であることが分かった。
【００３３】
実施例１の全頭かつらは、部分かつらのみを交換することで、長く使用することができ、部分かつらとの接着強度も高く、全体としての使用耐久性が向上していた。また、実施例１の全頭かつらは、面ファスナーで構成されている係合手段により部分かつらをかつら本体に貼りつけることで簡単に装着でき、装着性も良好であった。また、実施例１の全頭かつらは係合手段が面ファスナーで構成されているため、軽量であった。
【符号の説明】
【００３４】
１  かつら本体
２  部分かつら
１１  かつらベース
１２、２２  毛髪
１３  接合部
１４、２３  係合手段
２１  接続部材
３０  ネット
３１  みの毛
１００  全頭かつら
２００  擬似かつら
３００  タングル試験機
３０１  回転体
３０２  駆動スイッチ
３０３  試料挟持部
３０４  摩擦板
３０５  横軸
【図１】
2014091870.tif 000005
【図２】
2014091870.tif 000006
【図３】
2014091870.tif 000007
【図４】
2014091870.tif 000008
【図５】
2014091870.tif 000009
【図６】
2014091870.tif 000010
【図７】
2014091870.tif 000011
【図８】
2014091870.tif 000012